(57)【特許請求の範囲】
【請求項１】
サッシ窓枠の排水孔に嵌装される排水弁装置であって、筒状の筐体における上下に貫通する通水孔の内部に、隘路と弁室を上下に連通させて設けるとともに、弁室内に球状の可動弁体を配設し、かつ、筐体の外面における上端に外向きフランジ、その下方にシール環体を形成し、筐体の左右両側部には、それぞれ斜め外側上方を向き、かつ上下方向に並ぶ複数の段差片を備える係止片を、段差片の先端を上から順次外側方に長く突出させて形成してなることを特徴とするサッシ窓枠の結露排水弁装置。
【請求項２】
前記筐体と栓体は、ナイロン樹脂で形成され、栓体を筐体に嵌合させて溶融接着してなることを特徴とする請求項１に記載のサッシ窓枠の結露排水弁装置。
【発明の詳細な説明】
【技術分野】
【０００１】
本発明は、サッシ窓枠の結露排水弁装置に係り、特に、弁装置が内外の気圧の変化によりサッシから離脱しないようにしたサッシ窓枠の結露排水弁装置に関する。
【背景技術】
【０００２】
従来、建物のガラス窓に付着している結露を排水する水切りは、例えば特許文献１や特許文献２等で知られている。
ビルのサッシ窓枠の内側下部には、ガラス板の内面に付着した結露を排水するための排水孔が開設されており、排水孔の下には、外へ通じる水路が形成されている。前記排水孔には、部屋の温度を外へ逃がさないための、開閉弁が装着されたものがみられる。
【特許文献１】特開２００３−０２７８６０号公報
【特許文献２】特開２００５−２８２３２６号公報
【発明の開示】
【発明が解決しようとする課題】
【０００３】
従来の排水用の開閉弁は、筒状筐体の中に可動弁体が収容されている。サッシ窓枠に形成された排水孔に、筒状筐体を内嵌させて使用するもので、弁体上域に溜った水を外へ排水し、内外の気圧の変化で可動弁体が動いて、弁体の内外へ通じる通路を閉塞するように構成されている。
しかし、室内が暖かで、外部で低温の風が吹くと、外と室内の気圧差が大きくなり、外の気圧が可動弁体を上に押しつけるために、開閉弁装置そのものが、サッシ窓枠の排水孔から飛び出し、離脱するという事態が起きる。
この発明は、この実情に鑑みて、サッシ窓枠から離脱しにくいようにした、サッシ窓枠の結露排水弁装置を提供することを目的としている。
【課題を解決するための手段】
【０００４】
この発明の具体的な内容は次の通りである。
【０００５】
（１）  サッシ窓枠の排水孔に嵌装される排水弁装置であって、筒状の筐体における上下に貫通する通水孔の内部に、隘路と弁室を上下に連通させて設けるとともに、弁室内に球状の可動弁体を配設し、かつ、筐体の外面における上端に外向きフランジ、その下方にシール環体を形成し、筐体の左右両側部には、それぞれ斜め外側上方を向き、かつ上下方向に並ぶ複数の段差片を備える係止片を、段差片の先端を上から順次外側方に長く突出させて形成してなることを特徴とするサッシ窓枠の結露排水弁装置。
【０００６】
（２）  前記筐体と栓体は、ナイロン樹脂で形成され、栓体を筐体に嵌合させて溶融接着してなる前記（1）に記載のサッシ窓枠の結露排水弁装置。
【発明の効果】
【０００７】
本発明によると、次のような効果が奏せられる。
【０００８】
前記（１）に記載された発明の排水弁装置は、筐体の左右両側部に、それぞれ斜め外側上方を向く係止片が、先端部を筐体外面より外方へ突出させて形成されているので、排水弁装置を、サッシ窓枠における排水孔に嵌装すると、係止片の先端部が、サッシ窓枠の排水孔の下側に突きあたり、外気圧が高くなって、排水弁装置の下に高い気圧がかかっても、排水弁装置が排水孔から押上げられて、離脱することはない。
係止片の外側部に複数の段差片が形成されており、各段差片は、上から順次、その先端を外側へ長く突出しているために、サッシ窓枠における排水孔の壁面板の厚さに差があっても、いずれにも対応して係止することができる。
また、筐体の外周上端縁部に、サッシ窓枠の排水孔の径よりも大きな径のシール環体が形成されているので、サッシ窓枠の排水孔に、排水弁装置を嵌装させた時、シール環体が排水孔内壁面に密接してシールする。
【０００９】
前記（２）に記載された発明の排水弁装置は、筐体と栓体がナイロン樹脂で形成され、栓体が筐体に嵌合した状態で溶融接着されているので、可動弁体が脱落することはなく、耐久性に優れている。
【発明を実施するための最良の形態】
【００１０】
本発明においては、排水弁装置の外側に、段差片を有する係止片を形成してあるために、サッシ窓枠の排水孔に排水弁装置を嵌装させると、外気圧により排水弁装置が押されても、係止片により係止されて、排水弁装置が排水孔から離脱することはない。
【実施例１】
【００１１】
本発明の実施例を図面を参照して説明する。図１は、本発明に係るサッシ窓枠の結露排水弁装置（以下単に排水弁装置という）の平面図、図２は、栓体の斜視図、図３は、図１におけるＡ−Ａ縦断正面図、図４は、図１におけるＢ−Ｂ縦断側面図、図５は、排水弁装置の正面図、図６は同じく側面図である。
【００１２】
図３に示すように排水弁装置１における上下方向の通水孔２Ａを有する筒状の筐体２の内部下端の弁室２ｃには、球状の可動弁体９が配設され、筐体２の下端には、栓体８が装着されている。
【００１３】
これらの材質は何でもよいが、例えばナイロン樹脂が好ましい。前記栓体８は、筐体２の下部に嵌合した後に、高周波により溶融接着させるか、他の手段で接着されている。
【００１４】
図３、図４に示すように、筐体２の上端部には、サッシ窓枠１０に設けた排水孔１１よりもやや小径の外向フランジ３が形成され、その直下には薄肉のシール環体４が、サッシ窓枠１０における排水孔１１の径よりやや大きな外径で形成されている。
【００１５】
前記筐体２の通水孔２Ａには、上部が広開する排水口２ａと、隘路２ｂと、その下部に弁室２ｃが上下方向に連設され、弁室２ｃ内には、隘路２ｂより大径の球体である可動弁体９が配設され、筐体２の下端に固定した栓体８により、可動弁体９の脱落が防止されている。
【００１６】
前記外向フランジ３の上側には、サッシ窓枠１０の排水孔１１への落込みを抑止する掛止片５が、図１における前後方向に向けて形成されている。
前記筐体２の外面の、高さ方向の中間部に外向段差部２ｄが形成され、その上側は細径部２ｅとなっており、該細径部２ｅの左右側面には、切欠部６が形成されている。該切欠部６と対面する位置で、段差部２ｄから、斜め外側上方を向く係止片７が突設されている。
【００１７】
前記係止片７は、図３に示すように、筐体２の下部２ｆの側面より外方へ突出しており、その外側面には、鋸刃状の複数の段差片７ａ、７ｂ、７ｃが形成されている。該段差片７ａ、７ｂ、７ｃの先端部は、上から順次、外側へ長く突出している。
【００１８】
図２は、栓体８の斜視図である。栓体８はドーナツ形で、中央部に通水孔８ａが形成されている。通水孔８ａの周囲には、複数の上向突起８ｂが形成され、その上端部は、栓体８の上面より突出している。この上向突起８ｂの上に可動弁体９を支持させると、上向突起８ｂ、８ｂ間と、可動弁体９との隙間から排水される。
【００１９】
図３、図４は、サッシ窓枠１０の排水孔１１に、排水弁装置１を嵌装する要領を示す。両図における左側は、サッシ窓枠１０の板厚が薄い時を示し、右側は、厚い時を示している。板厚が薄い時には、係止片７は嵌装するときに切欠部６に接するように撓んで入り、入った後は元の形に復元し、係止片７の先端部がサッシ窓枠１０の下面に突当る。
【００２０】
サッシ窓枠１０の板厚が厚いときは、図３の右側のように、係止片７は、筐体２の切欠部６に接するように撓んで入り、係止片７の段差片７ａ、７ｂ、７ｃのいずれかが、サッシ窓枠１０の下面に突当る。
【００２１】
従って、サッシ窓枠１０の板厚に大小があっても、サッシ窓枠１０の排水孔１１に、排水弁装置１を嵌合すると、係止片７における段差片７ａ、７ｂ、７ｃの何れかが、サッシ窓枠１０の下に突当り、これによって排水弁装置１は、上に抜け出すことは出来なくなる。図３、図４において、シール環体４は、外周部が排水孔１１の内壁面に密接しているので、気密性が維持される。
【００２２】
図７は、サッシ窓枠１０下部の一部を示す縦断側面図である。図７においてガラス１２の左側が室外、右側が室内である。図７において、ガラス１２の内面に付着している結露が降下して、排水弁装置１の通水孔２Ａに入り込んだとき、図３における上向突起８ａに支持された、可動弁体９の下の隙間から排水される。図７において排水弁装置１からの排水は、排水孔１０ａから排出される。
【００２３】
しかして、この排水弁装置１を境とした室内気圧よりも、外の気圧が高くなったときに、図３において可動弁体９は、隘路２ｂの下端まで押上げられ、隘路２ｂを閉塞する。これによって、冷い外気が室内へ入ることがなくなり、室内の温度は維持される。
【００２４】
この場合、可動弁体９に、室内よりも気圧の高い外側の気圧が作用して、隘路２ｂの下口を閉塞させ、上方への力がかかって排水弁装置１全体を上に押し上げるように作用しても、係止体７が、サッシ枠体１０の下で、排水弁装置１全体の浮上りを阻止するので、排水弁装置１が、サッシ枠体１０の排水孔１１から離脱することはない。
【００２５】
なおこの発明は、前記実施例に限定されるものではなく、目的に沿って適宜設計変更をすることができる。
【産業上の利用可能性】
【００２６】
結露排水弁装置は、サッシ窓枠の排水孔に嵌装して使用することができる。
【図面の簡単な説明】
【００２７】
【図１】本発明に係る結露排水弁装置の平面図である。
【図２】栓体の斜視図である。
【図３】図１におけるＡ−Ａ縦断正面図である。
【図４】図１におけるＢ−Ｂ縦断側面図である。
【図５】本発明に係る結露排水弁装置の正面図である。
【図６】本発明に係る結露排水弁装置の側面図である。
【図７】サッシ窓枠に結露排水弁装置を取付けた状態を示す縦断正面図である。
【符号の説明】
【００２８】
１．結露排水弁装置
２．筐体
２Ａ.通水孔
２ａ．排水口
２ｂ．隘路
２ｃ．弁室
２ｄ．外向段差部
２ｅ．細径部
２ｆ．下部
３．外向フランジ
４．シール環体
５．掛止体
６．切欠部
７．係止体
７ａ、７ｂ、７ｃ．段差片
８．栓体
８ａ．通水孔
８ｂ．上向突起
９．可動弁体
１０．サッシ窓枠
１１．排水孔
１２．ガラス
【図１】
0005270217.tif 000002
【図２】
0005270217.tif 000003
【図３】
0005270217.tif 000004
【図４】
0005270217.tif 000005
【図５】
0005270217.tif 000006
【図６】
0005270217.tif 000007
【図７】
0005270217.tif 000008